(57)【要約】【課題】  雨や雪等の浸入や、砂礫や塵埃等の侵入を防止する機能を備えていながら、通気性を向上することができる通気性作業用ウェアを提供する。【解決手段】  防水性を有する防水性生地を縫製してなる通気性作業用ウェア上衣１Ａであって、両袖１３の袖下線および上衣脇線に沿って形成された長尺状の脇下開口２１に、通気性を有する通気性生地を縫製することにより前記脇下開口２１を介して外気を流通可能にさせた脇下ベンチレーション部２と、前身頃１１の胸部または腹部の少なくともいずれかに形成された前身頃開口３１に、前記通気性生地を袋状に縫製してなるポケット袋３２を縫着するとともに、前記前身頃開口３１を下向きまたは斜め下向きのフラップ３３で被覆してなるベンチレーションポケット部３とを有する。【選択図】  図１
2011117121.tif 000002
【特許請求の範囲】
【請求項１】
防水性を有する防水性生地を縫製してなる通気性作業用ウェア上衣であって、
両袖の袖下線および上衣脇線に沿って形成された長尺状の脇下開口に、通気性を有する通気性生地を縫製することにより前記脇下開口を介して外気を流通可能にさせた脇下ベンチレーション部と、
前身頃の胸部または腹部の少なくともいずれかに形成された前身頃開口に、前記通気性生地を袋状に縫製してなるポケット袋を縫着するとともに、前記前身頃開口を下向きまたは斜め下向きのフラップで被覆してなるベンチレーションポケット部と
を有する通気性作業用ウェア上衣。
【請求項２】
請求項１において、前記両袖には、前記防水性生地を筒状に縫製してなる防水性取替袖、または前記通気性生地を筒状に縫製してなる通気性取替袖のいずれかを着脱可能に取り付けられている通気性作業用ウェア上衣。
【請求項３】
防水性を有する防水性生地を縫製してなる通気性作業用ウェア下衣であって、
臀部から大腿部にかけて形成された臀部開口に、通気性を有する通気性生地を縫製することにより前記臀部開口を介して外気を流通可能にさせた臀部ベンチレーション部を有する通気性作業用ウェア下衣。
【請求項４】
請求項３において、両脚部の下衣外側線または両脚部の股下線に沿って形成された長尺状の両側部開口に、前記通気性生地を縫製することにより前記両側部開口を介して外気を流通可能にさせた両側部ベンチレーション部を有する通気性作業用ウェア下衣。
【発明の詳細な説明】
【技術分野】
【０００１】
本発明は、屋外作業を行う際に着衣するための通気性作業用ウェアに関し、特に、雨や雪等の浸入を防止する機能を損ねることなく、通気性が向上された通気性作業用ウェアに関する。
【背景技術】
【０００２】
従来、通気性を高めて発汗による蒸れを防止する衣服が提案されている。例えば、実用新案登録第３０５８０６０号公報には、衣服の脇下部、胴部および肩部に通気性を有する生地を縫製して構成された衣服が開示されている（特許文献１）。
【先行技術文献】
【特許文献】
【０００３】
【特許文献１】実用新案登録第３０５８０６０号公報
【発明の概要】
【発明が解決しようとする課題】
【０００４】
しかしながら、上記特許文献１に開示された考案のように、肩部にメッシュ生地を設けた衣服を屋外で着用した場合、雨や雪等が簡単に衣服内に浸入してしまうという問題がある。また、浸入した雨や雪等によって、衣服内の湿度が上昇して蒸れるため、着ている者に不快感を与えてしまうという問題もある。さらに、工事現場や建築現場等で着用する場合には、塵埃のみならず、砂礫や木片、金属片等、各種の異物がメッシュ生地から侵入し易いという問題がある。このため、衣服内に異物が溜まって汚れるだけでなく、鋭利な異物であれば怪我をしてしまうおそれもある。
【０００５】
一方、肉体労働やスポーツ等を行う人にとっては、雨天時でも作業や運動ができる作業用ウェアが必要とされている。しかしながら、従来の作業用ウェアは、防水性を有する生地から構成されているため通気性が悪く、内部に熱がこもってしまうという問題がある。仮に、上記特許文献１に記載の衣服を作業用ウェアに採用しても、浸入した雨水等に加えて作業者の汗により身体が作業用ウェアに密着し、かえって通気性が悪くなってしまうおそれがある。つまり、単に作業用ウェアにメッシュ生地を設けただけでは通気性は向上せず、作業用ウェア内の空気の流れと、外気との熱交換作用とを考慮した構造、さらには作業や運動の動作に伴った気流の発生を加味しなければならない。
【０００６】
本発明は、上記問題を解決するためになされたものであり、雨や雪等の浸入や、砂礫や塵埃等の侵入を防止する機能を備えていながら、通気性を向上することができる通気性作業用ウェアを提供することを目的としている。
【課題を解決するための手段】
【０００７】
本発明に係る通気性作業用ウェア上衣は、防水性を有する防水性生地を縫製してなる通気性作業用ウェア上衣であって、両袖の袖下線および上衣脇線に沿って形成された長尺状の脇下開口に、通気性を有する通気性生地を縫製することにより前記脇下開口を介して外気を流通可能にさせた脇下ベンチレーション部と、前身頃の胸部または腹部の少なくともいずれかに形成された前身頃開口に、前記通気性生地を袋状に縫製してなるポケット袋を縫着するとともに、前記前身頃開口を下向きまたは斜め下向きのフラップで被覆してなるベンチレーションポケット部とを有している。
【０００８】
ここでベンチレーション（ventilation）とは、直訳すれば、換気、空調、通気、通風の意味であるが、特に、通気性作業用ウェア内部の過剰な熱や湿気を外に逃がして蒸れを防止することにより、通気性作業用ウェア内部の温度や湿度を調節するとともに、着用者の体温調節を行うことができる機能をいい、ベンチレーション部という場合は、前記機能を有する構造をいう。
【０００９】
また、本発明に係る通気性作業用ウェア上衣において、前記両袖には、前記防水性生地を筒状に縫製してなる防水性取替袖、または前記通気性生地を筒状に縫製してなる通気性取替袖のいずれかを着脱可能に取り付けられていてもよい。
【００１０】
一方、本発明に係る通気性作業用ウェア下衣は、防水性を有する防水性生地を縫製してなる通気性作業用ウェア下衣であって、臀部から大腿部にかけて形成された臀部開口に、通気性を有する通気性生地を縫製することにより前記臀部開口を介して外気を流通可能にさせた臀部ベンチレーション部を有している。
【００１１】
また、本発明に係る通気性作業用ウェア下衣において、両脚部の下衣外側線または両脚部の股下線に沿って形成された長尺状の両側部開口に、前記通気性生地を縫製することにより前記両側部開口を介して外気を流通可能にさせた両側部ベンチレーション部を有してもよい。
【発明の効果】
【００１２】
本発明に係る通気性作業用ウェアによれば、雨や雪等の浸入や、砂礫や塵埃等の侵入を防止する機能を備えていながら、通気性を向上することができ、例えば、肉体労働やスポーツ等のように、屋外での作業や運動をする者の作業用ウェアとして好適である。
【図面の簡単な説明】
【００１３】
【図１】本発明に係る通気性作業用ウェア上衣の一実施形態を示す正面図である。
【図２】図１の背面図である。
【図３】本実施形態の脇下ベンチレーション部を示す拡大図である。
【図４】本実施形態のベンチレーションポケット部を開いた状態を示す拡大図である。
【図５】本発明に係る通気性作業用ウェア上衣の他の実施形態を示す正面図である。
【図６】他の実施形態におけるベンチレーションポケット部を示す拡大図である。
【図７】本実施形態の通気性作業用ウェア上衣の変形例を示す正面図である。
【図８】他の実施形態の通気性作業用ウェア上衣の変形例を示す正面図である。
【図９】本発明に係る通気性作業用ウェア下衣の一実施形態を示す正面図である。
【図１０】図９の背面図である。
【図１１】本発明に係る通気性作業用ウェア下衣の他の実施形態を示す正面図である。
【図１２】図１１の側面図である。
【発明を実施するための形態】
【００１４】
以下、本発明に係る通気性作業用ウェア上衣１Ａおよび通気性作業用ウェア下衣１Ｂからなる通気性作業用ウェアの実施形態について図面を用いて説明する。図１は、本実施形態の通気性作業用ウェア上衣１Ａを示す正面図であり、図２はその背面図である。
【００１５】
まず、本実施形態の通気性作業用ウェア上衣１Ａについて説明する。図１および図２に示すように、本実施形態の通気性作業用ウェア上衣１Ａは、主として、前身頃１１と、後身頃１２と、両袖１３，１３と、フード１４とを有し、防水性を有する防水性生地を縫製して形成されている。そして、この防水性生地の所定位置に形成された開口に、通気性生地を縫製してなる脇下ベンチレーション部２と、ベンチレーションポケット部３とを有している。以下、各構成部について、詳細に説明する。
【００１６】
なお、本発明において、防水性生地は、水の流入・浸透を防ぐ素材や加工がなされているものであり、その防水の程度はニーズに合わせて選択されればよく、特に限定されるものではない。また、防水性生地は、ナイロンやポリエステル等のように、防水性や防風性に優れた全ての生地を採用することができる。また、通気性生地としては、メッシュ生地やネット生地等のように、通気性や伸縮性に優れた全ての生地を採用することができる。
【００１７】
脇下ベンチレーション部２は、通気性作業用ウェア上衣１Ａ内にこもった熱や湿気を両サイドから外気へ放出するものである。本実施形態では、図１および図２に示すように、両袖１３の袖下線および上衣脇線に沿って長尺状の脇下開口２１が形成されている。そして、図３に示すように、この脇下開口２１を被覆するように通気性生地を縫製することで、脇下ベンチレーション部２が構成されている。これにより、着衣状態において下方または側方を向く脇下開口２１を介して、通気性作業用ウェア上衣１Ａの内部と外気とが連通するようになっている。
【００１８】
なお、本実施形態では、図１から図３に示すように、脇下ベンチレーション部２は、両袖１３の袖下線から上衣脇線にかけて連続的に形成されているが、この構成に限られるものではない。例えば、通気性生地の仕様によっては、脇の近傍で分断し、袖下線に沿う脇下ベンチレーション部２と、上衣脇線に沿う脇下ベンチレーション部２とから構成するようにしてもよい。
【００１９】
つぎに、ベンチレーションポケット部３は、通気性作業用ウェア上衣１Ａ内にこもった熱や湿気を体の前面から外気へ放出するものである。本実施形態では、図１に示すように、前身頃１１の胸部中央に前身頃開口３１が形成されており、この前身頃開口３１に通気性生地を袋状に縫製してなるポケット袋３２が縫着されている。そして、雨水等の浸入を防止するため、図４に示すように、前身頃開口３１を下向きのフラップ３３で被覆することで、ベンチレーションポケット部３が構成されている。これにより、前身頃開口３１およびポケット袋３２を介して、通気性作業用ウェア上衣１Ａの内部と外気とが連通するようになっている。
【００２０】
なお、本実施形態において、ベンチレーションポケット部３は、前身頃１１の胸部中央に設けられ、フラップ３３が下向きに形成されている。しかしながら、この構成に限られるものではなく、例えば、図５に示すように、通気性作業用ウェア上衣１Ａが、ファスナーで前開き可能に構成されている場合、腹部の両サイドに前身頃開口３１をハの字に配置し、これら前身頃開口３１に、図６に示すような斜め下向きのフラップ３３を被覆するようにしてもよい。つまり、前身頃開口３１は、胸部および腹部の少なくともいずれかに形成されることとなる。
【００２１】
また、本実施形態において、両袖１３は防水性生地によって構成されているが、この構成に限られるものではない。例えば、図７および図８に示すように、シチュエーションに合わせて、防水性生地を筒状に縫製してなる防水性取替袖１３１、または通気性生地を筒状に縫製してなる通気性取替袖１３２のいずれかを着脱可能に取り付けられるようにしてもよい。この場合、図７および図８に示すように、両袖１３の端部と、防水性取替袖１３１および通気性取替袖１３２の端部の双方に、互いに取り付け・取り外し可能なスナップボタンやファスナー等を設ければよい。このような構成を採用すれば、季節に応じてや作業内容に合わせて両袖１３を取り替えたり、取り外すことが可能である。
【００２２】
つぎに、本実施形態の通気性作業用ウェア下衣１Ｂについて説明する。図９および図１０は、本実施形態の通気性作業用ウェア下衣１Ｂを示す正面図および背面図である。
【００２３】
本実施形態の通気性作業用ウェア下衣１Ｂは、図９および図１０に示すように、主として、下衣前身頃１５と、下衣後身頃１６と、バンド部１７とを有し、防水性を有する防水性生地を縫製して形成されている。そして、この防水性生地の所定位置に形成された開口に、通気性を有する通気性生地を縫製してなる臀部ベンチレーション部４と、両側部ベンチレーション部５とを有している。以下、各構成部について、詳細に説明する。
【００２４】
臀部ベンチレーション部４は、通気性作業用ウェア下衣１Ｂ内にこもった熱や湿気を臀部から外気へ放出するものである。本実施形態では、図９および図１０に示すように、下衣後身頃１６の臀部から大腿部にかけて臀部開口４１が形成されている。そして、この臀部開口４１を被覆するように通気性生地を縫製することで臀部ベンチレーション部４が構成されている。これにより、通気性作業用ウェア上衣１Ａの後身頃１２によって覆われることとなる臀部開口４１を介して、通気性作業用ウェア下衣１Ｂの内部と外気とが連通するようになっている。
【００２５】
なお、本実施形態において、臀部ベンチレーション部４は、臀部から大腿部にかけて設けられているが、この構成に限られるものではない。つまり、臀部近傍にこもった熱や湿気を外気へ放出する目的の構成であれば、臀部まわりに限定して設けてもよく、逆に、臀部から両裾にかけて、すなわち下衣後身頃１６の略全面に臀部ベンチレーション部４を設けて通気性をより一層向上させるようにしてもよい。
【００２６】
また、本実施形態において、通気性作業用ウェア下衣１Ｂには、さらに、図１１および図１２に示すように、両脚部の下衣外側線（下衣脇線とも呼ばれる）に沿って長尺状の両側部開口５１，５１を形成し、この両側部開口５１，５１に通気性生地を縫製することで両側部ベンチレーション部５，５を設けてもよい。これにより、着衣状態において側方を向く両側部開口５１，５１を介して、通気性作業用ウェア下衣１Ｂの内部と外気とが連通するようになっている。
【００２７】
なお、上記の両側部ベンチレーション部５，５は、下方に延長するほど、通気性作業用ウェア上衣１Ａから露出し、雨水等の浸入防止機能が低下するおそれがある。よって、両脚部の内側の股下線に沿って長尺状の両側部開口５１，５１を形成し、この両側部開口５１，５１に通気性生地を縫製することで両側部ベンチレーション部５，５を構成してもよい。これにより、両側部開口５１，５１は股下に現れるため、雨水等が浸入しにくくなる。
【００２８】
つぎに、以上のような構成を備えた通気性作業用ウェア上衣１Ａおよび通気性作業用ウェア下衣１Ｂの作用について説明する。
【００２９】
本実施形態の通気性作業用ウェア上衣１Ａおよび通気性作業用ウェア下衣１Ｂを着用した場合、防水性生地で縫製されているため、雨水や融雪水等が内部へ浸み込むのを防止する。一方、脇下ベンチレーション部２、ベンチレーションポケット部３、臀部ベンチレーション部４および両側部ベンチレーション部５は、通気性生地で構成されているため、通気性を保ちつつ防水性を発揮する。
【００３０】
具体的には、脇下ベンチレーション部２は、着衣状態では露出しにくい場所に配置され、腕を上げたりしても袖の下面や胴の側面に現れるだけであるため、雨水や塵埃等が浸入しにくい。一方、脇下ベンチレーション部２は、通気性生地によって脇下開口２１を介して外気と連通されるため、熱伝導によって脇の下近傍に発生した過剰な熱を外気へ放出し、熱交換作用を促進する。また、作業中や運動中は、腕の動作に伴って発生した気流によって、脇の下近傍から発生した汗による湿気を外気へ放出し、蒸れを解消する。
【００３１】
ベンチレーションポケット部３は、下向きのフラップ３３により前身頃開口３１が被覆されているため、雨水や塵埃等の浸入を防止する。一方、ベンチレーションポケット部３は、通気性生地で縫製されたポケット袋３２および前身頃開口３１を介して外気と連通されている。このため、ポケット袋３２への物の出し入れ動作に伴って胴体の前面に発生した過剰な熱を外気へ放出し、衣服内外の熱交換作用を促進する。また、ポケット袋３２への物の出し入れ動作に伴って衣服内外に空気の流れが生じるため、胸部や腹部から発生した汗による湿気を外気へ放出し、蒸れを解消しやすい。
【００３２】
臀部ベンチレーション部４は、通気性作業用ウェア上衣１Ａの後身頃１２によってほぼ覆われるため、雨水や塵埃等が浸入しにくい。一方、臀部ベンチレーション部４は、通気性生地によって臀部開口４１を介して外気と連通されるため、臀部近傍で発生した過剰な熱を外気へ放出し、熱交換作用を促進する。また、作業中や運動中は、足の動作に伴って発生する気流によって、股下近傍から発生した汗による湿気を外気へ放出し、蒸れを解消する。
【００３３】
両側部ベンチレーション部５は、その上部に通気性作業用ウェア上衣１Ａの側部が重なって覆われるため、雨水や塵埃等が浸入しにくい。一方、両側部ベンチレーション部５は、通気性生地によって両側部開口５１，５１を介して外気と連通されるため、衣服内外の熱伝導によって脚部から発生した過剰な熱を外気へ放出し、熱交換作用を促進する。また、作業中や運動中は、足の動作に伴って発生した気流によって、脚部から発生した汗による湿気を外気へ放出し、蒸れを解消する。なお、両側部ベンチレーション部５は、下方に延長するほど通気性作業用ウェア上衣１Ａから露出し、防水機能が低下するため注意が必要である。
【００３４】
また、本実施形態において、通気性作業用ウェア上衣１Ａの両袖１３に、防水性取替袖１３１または通気性取替袖１３２のいずれかを着脱可能に構成した場合、シチュエーションに合わせて袖を取替えられる。例えば、冬場であれば気温が低いため、防水性取替袖１３１を取り付ければ、雨水や塵埃等の浸入を防止する。一方、夏場であれば通気性が重視されるため、通気性取替袖１３２を取り付ければ、両腕の蒸れが解消される。また、袖が邪魔になる作業のときには取り外し、袖の汚れや擦り傷の生じやすい作業のときには取り付けるように選択してもよい。
【００３５】
以上のような本実施形態によれば、
１．雨や雪等の浸入および砂礫や塵埃等の侵入を防止しつつ通気性を向上し、通気性作業用ウェア内の温度上昇や蒸れを防止することができる。
２．デザイン性に優れており、肉体労働者の作業ウェアや、スポーツする人の運動ウェア等として幅広く利用することができる。
３．部品点数が少なく、シンプルな構造であるため簡単に製造でき、多機能でありながら低コストな製品を提供することができる等の効果を奏する。
【００３６】
なお、本発明に係る通気性作業用ウェア上衣１Ａおよび通気性作業用ウェア下衣１Ｂからなる通気性作業用ウェアは、前述した実施形態に限定されるものではなく、適宜変更することができる。
【００３７】
例えば、上述した本実施形態では、通気性作業用ウェア上衣１Ａにおいて、フード１４を一体的に設けているが、この構成に限られるものではなく、スナップボタンやファスナー等により着脱可能に構成してもよい。
【００３８】
また、上述した本実施形態では、通気性作業用ウェア下衣１Ｂにおいて、バンド部１７が、ゴムバンドを防水性生地で被覆し縫製することにより構成されている。しかしながら、ゴムバンドの代わりに紐を通して締め付けるようにしてもよく、ベルト通しを設け、ベルトで腰回りに密着させるようにしてもよい。
【符号の説明】
【００３９】
１Ａ  通気性作業用ウェア上衣
１Ｂ  通気性作業用ウェア下衣
２  脇下ベンチレーション部
３  ベンチレーションポケット部
４  臀部ベンチレーション部
５  両側部ベンチレーション部
１１  前身頃
１２  後身頃
１３  両袖
１４  フード
１５  下衣前身頃
１６  下衣後身頃
１７  バンド部
２１  脇下開口
３１  前身頃開口
３２  ポケット袋
３３  フラップ
４１  臀部開口
５１  両側部開口  
１３１  防水性取替袖
１３２  通気性取替袖
【図１】
2011117121.tif 000003
【図２】
2011117121.tif 000004
【図３】
2011117121.tif 000005
【図４】
2011117121.tif 000006
【図５】
2011117121.tif 000007
【図６】
2011117121.tif 000008
【図７】
2011117121.tif 000009
【図８】
2011117121.tif 000010
【図９】
2011117121.tif 000011
【図１０】
2011117121.tif 000012
【図１１】
2011117121.tif 000013
【図１２】
2011117121.tif 000014